(57)【要約】【課題】藻類の育成効率を向上させることができる藻類育成装置及び藻類育成方法を提供する。【解決手段】藻類育成装置１０は、気体溶解部２０と、藻類槽３０と、第１のＬＥＤ４０と、第２のＬＥＤ４１と、供給部５０と、循環ポンプ部６０とを備える。気体溶解部２０は、海洋深層水に二酸化炭素及び酸素を溶解して育成水を生成する。藻類槽３０は、育成水と海苔葉体を収容する。循環ポンプ部６０は育成水と海苔葉体を藻類槽３０から吸出して気体溶解部２０へ送出し、気体溶解部２０と供給部５０の供給管５１を通過させて育成水と海苔葉体を藻類槽３０内へ注入する。供給部５０は、藻類槽３０の内側面の湾曲方向に対して斜めに交差する方向に沿って育成水と海苔葉体を放流し、育成水は渦状の流れとなって藻類槽３０内を流れる。【選択図】図１
2020174607.tif 000002
【特許請求の範囲】
【請求項１】
液体に二酸化炭素を溶解して溶解液を生成可能な気体溶解部と、
前記溶解液及び同溶解液に入れられた藻類を収容可能であり、かつ、収容された同溶解液及び同藻類に接触する内側面が湾曲した藻類槽と、
前記溶解液及び前記藻類が収容される前記藻類槽の内部へ向けて発光可能な発光体と、
前記気体溶解部と前記藻類槽とに連通しており、かつ、同藻類槽の前記内側面の湾曲方向に沿って、または同湾曲方向に対して斜めに交差する方向に沿って前記溶解液を放流可能な供給部と、
前記藻類槽と前記気体溶解部とに連通しており、かつ、前記藻類槽に収容された、前記溶解液と前記藻類を同藻類槽から吸出可能であると共に、吸出された同溶解液と同藻類を同気体溶解部に通して前記供給部から同藻類槽へ注入可能な循環ポンプ部とを備える
藻類育成装置。
【請求項２】
前記藻類槽は一方向に延びており、かつ、延びた方向の両端が閉塞した円筒形状を有しており、
前記供給部は、前記藻類槽の前記内側面に形成されていると共に同藻類槽の内部と外部とを連通する貫通穴に、連通して接続された供給管と、前記貫通穴の対向する縁部同士を結ぶ線に対して略直交する方向に延びる貫通穴中心軸線上に配置されており、かつ、前記藻類槽の前記内側面に取付けられており、かつ、前記供給管と連通する空間を同内側面との間に形成しており、かつ、同空間と同藻類槽の内部とを連通すると共に同藻類槽が延びる方向と交差する方向に面する開口部が形成されており、かつ、同空間に向いた面とは反対側の面が湾曲したカバー体とを有する
請求項１に記載の藻類育成装置。
【請求項３】
複数の前記発光体が、前記藻類槽が延びる方向と同じ方向に、互いに所定の間隔を設けて直列的に配列されており、
前記発光体の直列的な配列は複数あり、かつ、前記藻類槽が延びる方向に対して略直交していると共に対向する２つの配列を結ぶ線上の同発光体の数は１つである
請求項２に記載の藻類育成装置。
【請求項４】
前記藻類槽は、同藻類槽の延びる方向が水平方向と交差する状態で配置されており、かつ、前記溶解液と前記藻類が吸出される箇所である吸出箇所が同藻類槽の一方の端部に形成されており、かつ、同吸出箇所が形成された同藻類槽の一方の端部の位置は、同一方の端部とは反対側の他方の端部の位置よりも鉛直方向において下方に在り、
前記カバー体の前記開口部が面する方向が、前記藻類槽が延びる方向に対して斜めに交差する方向であり、かつ、前記藻類槽の一方の端部寄りの方向である
請求項２に記載の藻類育成装置。
【請求項５】
前記気体溶解部は、前記藻類槽の外部の圧力よりも高い圧力を有する溶解液を生成可能である
請求項１に記載の藻類育成装置。
【請求項６】
前記供給部と連通しており、かつ、同供給部に液肥を注入可能な液肥注入部と、
前記気体溶解部と連通しており、かつ、同気体溶解部に前記液体を注入可能な液体注入部と、
前記気体溶解部と、前記藻類槽と、前記供給部と、前記循環ポンプ部と、前記液肥注入部と、前記液体注入部とを互いに連通して接続する連通管と、同藻類槽の内部と外部とを連通する開口部もしくは該開口部に連通して接続された排出管とに取付けられており、かつ、携帯端末が発信する信号に基づいて制御可能な制御バルブとを備える
請求項１に記載の藻類育成装置。
【請求項７】
液体に二酸化炭素を溶解可能な気体溶解部において、同液体に同液体の圧力よりも高い圧力を有する二酸化炭素を溶解して溶解液を生成する溶解液生成工程と、
湾曲した内側面を有する藻類槽に前記溶解液を供給して同藻類槽の同内側面に沿って前記溶解液を流す放流工程と、
前記藻類槽に海苔葉体を供給する海苔葉体供給工程と、
前記溶解液と同溶解液に入れられた海苔葉体を収容した前記藻類槽の内部へ向けて発光する発光工程と、
前記藻類槽から前記溶解液と前記海苔葉体を吸出して、前記気体溶解部へ同溶解液と同海苔葉体を導入する循環工程とを備える
藻類育成方法。
【請求項８】
前記藻類槽から前記海苔葉体を排出する排出工程と、
排出された前記海苔葉体を切断する切断工程とを備え、
前記海苔葉体供給工程は、前記排出工程で排出された前記海苔葉体の長さよりも短い長さを有する海苔葉体を供給する
請求項７に記載の藻類育成方法。
【発明の詳細な説明】
【技術分野】
【０００１】
本発明は藻類育成装置及び藻類育成方法に関する。詳しくは、例えば海苔を育成するための、藻類育成装置及び藻類育成方法に係るものである。
【背景技術】
【０００２】
藻類例えば海苔の養殖は海上で行われることが多いが、海水温の上昇などが原因で海上養殖による海苔生産量は低下している。
海苔巻き、寿司、おにぎりなど、日本においては海苔が使用される食品は多く存在し、海苔は日本食に欠かせない存在であることから、海苔生産量の低下は深刻な問題である。
【０００３】
そこで、このような海上養殖の問題点を解決すべく、自然環境の影響を受け難い陸上での藻類の養殖が提案されている。
【０００４】
例えば特許文献１には、図４に示された海藻類養殖装置が記載されている。
すなわち、特許文献１に記載された海藻類養殖装置３０１は、その本体として上部に開口部が形成された、有底で円筒形の水槽３０２を備える。
また、水槽３０２の上部開口部付近には、注水管３０３が連通して取付けられている。
【０００５】
また、略裁頭円錐形の筒状部材である筒状体３０５が水槽３０２の内部に配置されている。
また、筒状体３０５の上下方向の全体にわたって、複数の開孔３０６が形成されている。
【０００６】
また、図示していない外部のエアーポンプと接続されたエアーストーン３０７が、筒状体３０５の外周近傍かつ水槽３０２の下部に配置されている。ここで、エアーストーン３０７は曝気機構である。
また、水槽３０２の底部であり、かつ、筒状体３０５の内側には、吸水口３０８が形成されている。
【０００７】
また、吸水口３０８には、配管３０９が連通されている。水槽３０２中の海水の水位が所望の水位に達すると、配管３０９を通じた排水が行なわれ、水槽中の水位が一定に保たれる。
【先行技術文献】
【特許文献】
【０００８】
【特許文献１】特開２０１４−０３６５９６号公報
【発明の概要】
【発明が解決しようとする課題】
【０００９】
しかしながら、特許文献１に記載の装置は曝気方式を採用しており、充分に二酸化炭素もしくは酸素が海水に溶解していなかった。なぜなら、曝気方式では気泡が発生するが、気体が充分に海水に溶解していないので気泡が発生するからである。
また、気泡は底層部に滞留しないので、水槽の底層部の藻類に充分に二酸化炭素もしくは酸素が供給されていなかった。
その結果、藻類の育成効率が充分ではなかった。
【００１０】
本発明は、以上の点に鑑みて創案されたものであり、藻類の育成効率を向上させることができる藻類育成装置及び藻類育成方法を提供することを目的とする。
【課題を解決するための手段】
【００１１】
上記の目的を達成するために、本発明の藻類育成装置は、液体に二酸化炭素を溶解して溶解液を生成可能な気体溶解部と、前記溶解液及び同溶解液に入れられた藻類を収容可能であり、かつ、収容された同溶解液及び同藻類に接触する内側面が湾曲した藻類槽と、前記溶解液及び前記藻類が収容される前記藻類槽の内部へ向けて発光可能な発光体と、前記気体溶解部と前記藻類槽とに連通しており、かつ、同藻類槽の前記内側面の湾曲方向に沿って、または同湾曲方向に対して斜めに交差する方向に沿って前記溶解液を放流可能な供給部と、前記藻類槽と前記気体溶解部とに連通しており、かつ、前記藻類槽に収容された、前記溶解液と前記藻類を同藻類槽から吸出可能であると共に、吸出された同溶解液と同藻類を同気体溶解部に通して前記供給部から同藻類槽へ注入可能な循環ポンプ部とを備える。
【００１２】
ここで、液体に二酸化炭素を溶解させて溶解液を生成可能な気体溶解部と、溶解液及び藻類が収容される藻類槽の内部へ向けて発光可能な発光体と、藻類槽と気体溶解部とに連通しており、かつ、藻類槽に収容された、溶解液と藻類を藻類槽から吸出可能であると共に、吸出された溶解液と藻類を気体溶解部に通して供給部から藻類槽へ注入可能な循環ポンプ部とによって、藻類槽内において光合成を促進できる。
【００１３】
気体溶解部が対象とする「液体」は、気体溶解部によって二酸化炭素が未だ溶解されていない液体、並びに気体溶解部によってすでに二酸化炭素が溶解された液体を含むものとする。
【００１４】
また、溶解液及び溶解液に入れられた藻類を収容可能であり、かつ、収容された溶解液及び藻類に接触する内側面が湾曲した藻類槽と、気体溶解部と前記藻類槽とに連通しており、かつ、藻類槽の内側面の湾曲方向に沿って、または湾曲方向に対して斜めに交差する方向に沿って溶解液を放流可能な供給部とによって、藻類槽内において溶解液の渦状の流れを発生させることができ、発光体からの光を藻類に満遍なく当てることができる。
また、渦状の流れによって、光合成で発生した酸素気泡を藻類から分離し易くなり、藻類が二酸化炭素を吸収し易くなる。
【００１５】
また、藻類槽と気体溶解部とに連通しており、かつ、藻類槽に収容された、溶解液と藻類を藻類槽から吸出可能であると共に、吸出された溶解液と藻類を気体溶解部に通して供給部から藻類槽へ注入可能な循環ポンプ部によって、藻類が溶解液と共に気体溶解部に通されるので、気体溶解部において藻類に充分に二酸化炭素を供給することができる。
【００１６】
また、本発明の藻類育成装置において、藻類槽は一方向に延びており、かつ、延びた方向の両端が閉塞した円筒形状を有しており、供給部は、藻類槽の内側面に形成されていると共に藻類槽の内部と外部とを連通する貫通穴に、連通して接続された供給管と、貫通穴の対向する縁部同士を結ぶ線に対して略直交する方向に延びる貫通穴中心軸線上に配置されており、かつ、藻類槽の内側面に取付けられており、かつ、供給管と連通する空間を内側面との間に形成しており、かつ、空間と藻類槽の内部とを連通すると共に藻類槽が延びる方向と交差する方向に面する開口部が形成されており、かつ、空間に向いた面とは反対側の面が湾曲したカバー体とを有する構成とすることができる。
【００１７】
この場合、カバー体が無く供給管を藻類槽の内側面から突出させた構成よりも、藻類が供給部に引っ掛かり難い。
【００１８】
また、藻類槽が一方向に延びた本発明の藻類育成装置において、複数の発光体が、藻類槽が延びる方向と同じ方向に、互いに所定の間隔を設けて直列的に配列されており、発光体の直列的な配列は複数あり、かつ、藻類槽が延びる方向に対して略直交していると共に対向する２つの配列を結ぶ線上の発光体の数は１つである構成とすることができる。
【００１９】
この場合、１つ当たりの発光体の大きさと、発光体の数を抑えつつ、発光能力を維持することができる。
【００２０】
また、藻類槽が一方向に延びた本発明の藻類育成装置において、藻類槽は、藻類槽の延びる方向が水平方向と交差する状態で配置されており、かつ、溶解液と藻類が吸出される箇所である吸出箇所が藻類槽の一方の端部に形成されており、かつ、吸出箇所が形成された藻類槽の一方の端部の位置は、一方の端部とは反対側の他方の端部の位置よりも鉛直方向において下方に在り、カバー体の開口部が面する方向が、藻類槽が延びる方向に対して斜めに交差する方向であり、かつ、藻類槽の一方の端部寄りの方向である構成とすることができる。
【００２１】
この場合、吸出箇所が形成された藻類槽の一方の端部の位置は、一方の端部とは反対側の他方の端部の位置よりも鉛直方向において下方に在る、すなわち藻類槽が傾いており、かつ、カバー体の開口部から溶解液が藻類槽の一方の端部寄りに流出されるので、重力と溶解液の流れる力とによって吸出箇所の方へ藻類が集まり易く、藻類槽の延びる長さを比較的長くしても溶解液と藻類を循環できる。
【００２２】
本発明で言う「藻類槽の端部」とは、閉塞された部分すなわち藻類槽の延びる方向に対して略直交する面部分のみならず、閉塞された部分から藻類槽の延びる方向へ所定の範囲まで広がる領域も含むものとする。
【００２３】
また、本発明の藻類育成装置において、気体溶解部は、藻類槽の外部の圧力よりも高い圧力を有する溶解液を生成可能である構成とすることができる。
【００２４】
この場合、藻類槽内に空気層を形成し難い。また、藻類槽の外部から藻類槽内へ雑菌などが流入し難い。
【００２５】
また、本発明の藻類育成装置において、供給部と連通しており、かつ、供給部に液肥を注入可能な液肥注入部と、気体溶解部と連通しており、かつ、気体溶解部に液体を注入可能な液体注入部と、前記気体溶解部と、前記藻類槽と、前記供給部と、前記循環ポンプ部と、前記液肥注入部と、前記液体注入部とを互いに連通して接続する連通管と、同藻類槽の内部と外部とを連通する開口部もしくは該開口部に連通して接続された排出管とに取付けられており、かつ、携帯端末が発信する信号に基づいて制御可能な制御バルブとを備える構成とすることができる。
【００２６】
この場合、携帯端末の操作一つで連通管を通る溶解液の流量を制御したり、藻類槽からの溶解液の排出量を制御したりすることができる。
また、藻類槽が複数存在するときには、作業負担を軽減できる。
【００２７】
また、上記の目的を達成するために、本発明の藻類育成方法は、液体に二酸化炭素を溶解可能な気体溶解部において、同液体に同液体の圧力よりも高い圧力を有する二酸化炭素を溶解して溶解液を生成する溶解液生成工程と、湾曲した内側面を有する藻類槽に前記溶解液を供給して同藻類槽の同内側面に沿って前記溶解液を流す放流工程と、前記藻類槽に海苔葉体を供給する海苔葉体供給工程と、前記溶解液と同溶解液に入れられた海苔葉体を収容した前記藻類槽の内部へ向けて発光する発光工程と、前記藻類槽から前記溶解液と前記海苔葉体を吸出して、前記気体溶解部へ同溶解液と同海苔葉体を導入する循環工程とを備える。
【００２８】
ここで、液体に二酸化炭素を溶解可能な気体溶解部において、液体に液体の圧力よりも高い圧力を有する二酸化炭素を溶解させて溶解液を生成する溶解液生成工程と、溶解液と溶解液に入れられた海苔葉体を収容した藻類槽の内部へ向けて発光する発光工程と、藻類槽から溶解液と海苔葉体を吸出して、気体溶解部へ溶解液と海苔葉体を導入する循環工程とによって、藻類槽内において光合成を促進できる。
【００２９】
また、湾曲した内側面を有する藻類槽に溶解液を供給して藻類槽の内側面に沿って溶解液を流す放流工程によって、藻類槽内において溶解液の渦状の流れを発生させることができ、発光体からの光を海苔葉体に満遍なく当てることができる。
また、渦状の流れによって、光合成で発生した酸素気泡を海苔葉体から分離し易くなり、海苔葉体が二酸化炭素を吸収し易くなる。
また、溶解液を流すときには海苔葉体も一緒に流している場合もあるものとする。
【００３０】
また、藻類槽に海苔葉体を供給する海苔葉体供給工程によって、海苔葉体を使用するので、海苔の胞子や糸状体を供給して育成する方法よりも早く育成を完了させることができる。
【００３１】
また、藻類槽から溶解液と海苔葉体を吸出して、気体溶解部へ溶解液と海苔葉体を導入する循環工程によって、海苔葉体が溶解液と共に気体溶解部に導入されるので、気体溶解部において海苔葉体に充分に二酸化炭素を供給することができる。
【００３２】
また、本発明の藻類育成方法は、藻類槽から海苔葉体を排出する排出工程と、排出された前記海苔葉体を切断する切断工程とを備え、海苔葉体供給工程は、排出工程で排出された海苔葉体の長さよりも短い長さを有する海苔葉体を供給する構成とすることができる。
【００３３】
この場合、生長した海苔葉体の一部を再利用することができ、半永久的に海苔葉体を育成することができる。
【発明の効果】
【００３４】
本発明に係る藻類育成装置は、藻類の育成効率を向上させることができる。
本発明に係る藻類育成方法は、藻類の育成効率を向上させることができる。
【図面の簡単な説明】
【００３５】
【図１】本発明を適用した藻類育成装置の一例を説明する概略図である。
【図２】図１のＡ−Ａ線に沿って切断された、本発明を適用した藻類育成装置が備える、藻類槽と供給部の概略断面図である。
【図３】本発明を適用した藻類育成装置が備える供給部の第１のカバー体の第１の放流口から育成水と海苔葉体が放流される様子の一例を示す概略図である。
【図４】従来の海藻類養殖装置を示す概略図である。
【発明を実施するための形態】
【００３６】
以下、本発明の実施の形態について図面を参照しながら説明し、本発明の理解に供する。
図１は、本発明を適用した藻類育成装置の一例を説明する概略図である。また、図２は、図１のＡ−Ａ線に沿って切断された、本発明を適用した藻類育成装置が備える、藻類槽と供給部の概略断面図である。また、図３は、本発明を適用した藻類育成装置が備える供給部の第１のカバー体の第１の放流口から育成水と海苔葉体が放流される様子の一例を示す概略図である。
【００３７】
図１に示す本発明の藻類育成装置１０は、気体溶解部２０を備える。
ここで、気体溶解部２０は、液体例えば海洋深層水に二酸化炭素及び酸素を溶解して、溶解液である育成水２５を生成可能である。
【００３８】
すなわち、気体溶解部２０には、気体溶解部２０の内部に二酸化炭素を供給するための二酸化炭素供給管２１が連通して接続されている。
また、気体溶解部２０には、気体溶解部２０の内部に酸素を供給するための酸素供給管２２が連通して接続されている。
【００３９】
また、二酸化炭素供給管２１は、例えば供給圧１．２ｈＰａで気体溶解部２０内へ二酸化炭素を供給できるよう、図示していない供給圧調整機構を有する。
また、酸素供給管２２には、例えば供給圧１．２ｈＰａで気体溶解部２０内へ酸素を供給できるよう、図示していない供給圧調整機構を有する。
【００４０】
また、海洋深層水は、二酸化炭素の供給圧や酸素の供給圧よりも低い供給圧で気体溶解部２０内へ供給される。
すなわち、海洋深層水を、二酸化炭素や酸素で満たされた気体溶解部２０内の雰囲気へ、この二酸化炭素の圧力や酸素の圧力より低い圧力に維持して流入させて、二酸化炭素や酸素と接触させ、二酸化炭素や酸素を海洋深層水に溶解するのである。
【００４１】
このとき、海洋深層水の圧力と二酸化炭素の圧力との間に圧力差があることで、圧力の高い二酸化炭素が海洋深層水の分子間の隙間に入り込み、逆に海洋深層水の分子間の隙間に入り込んでいた窒素などが追い出されて気体の置換が行われる。
これにより、二酸化炭素溶存量が高い、二酸化炭素が溶解した育成水２５が得られる。
【００４２】
また、海洋深層水の圧力と酸素の圧力との間にも圧力差があることで、圧力の高い酸素が海洋深層水の分子間の隙間に入り込み、逆に海洋深層水の分子間の隙間に入り込んでいた窒素などが追い出されて気体の置換が行われる。
これにより、酸素溶存量が高い、酸素が溶解した育成水２５が得られる。
また、気体溶解部は必ずしも酸素を溶解しなくてもよい。
【００４３】
また、本発明の藻類育成装置１０は、藻類槽３０を備える。
ここで、藻類槽３０は、育成水２５を収容可能である。また、育成水２５には藻類例えば海苔葉体７３が入れられるので、藻類槽３０は、育成水２５に入れられた海苔葉体７３も収容可能である。
また、海苔葉体の代わりにスピルリナなどの単細胞微細藻類を育成水に入れて、単細胞微細藻類を育成することもできる。
【００４４】
また、収容された育成水２５及び海苔葉体７３に接触する藻類槽３０の内側面３０Ａは湾曲している。
すなわち、藻類槽３０は一方向に延びており、かつ、延びた方向の両端が閉塞しており、かつ、延びた方向に対して略直交する方向における断面形状が略円形である円筒形状を有する。
【００４５】
また、藻類槽３０の長さ、すなわち延びた方向における長さは特に制限されないが、例えば２５ｍとすることができる。
【００４６】
また、藻類槽３０の外部の気圧は大気圧（１．０ｈＰａ）であり、育成水２５は大気圧より高い供給圧で二酸化炭素や酸素が溶解された海水であるから、育成水２５の圧力は藻類槽３０の外部の圧力よりも高い。
すなわち、気体溶解部２０は、藻類槽３０の外部の圧力よりも高い圧力を有する育成水２５を生成可能である。
【００４７】
また、本発明の藻類育成装置１０は、複数の第１のＬＥＤ４０及び複数の第２のＬＥＤ４１を備える。
【００４８】
ここで、複数の第１のＬＥＤ４０は、藻類槽３０が延びる方向と同じ方向に、互いに所定の間隔例えば１ｍの間隔を設けて直列的に配列されている。
また、複数の第２のＬＥＤ４１も、藻類槽３０が延びる方向と同じ方向に、互いに所定の間隔例えば１ｍの間隔を設けて直列的に配列されている。
【００４９】
また、図１に示すように、複数の第１のＬＥＤ４０が構成する直列的な配列と、複数の第２のＬＥＤ４１が構成する直列的な配列は互いに対向している。
また、藻類槽３０が延びる方向に対して略直交していると共に対向する第１のＬＥＤ４０の配列と第２のＬＥＤ４１の配列とを結ぶ線におけるＬＥＤの数は１つである。すなわち、第１のＬＥＤ４０と対向する位置に第２のＬＥＤ４１は配置されておらず、一方、第２のＬＥＤ４１と対向する位置に第１のＬＥＤ４０も配置されていない。
【００５０】
また、第１のＬＥＤ４０の発光面及び第２のＬＥＤ４１の発光面はそれぞれ、藻類槽３０の内側面３０Ａと同一面内に位置しており、また、内側面３０Ａとは反対側の外側面とも同一面内に位置している。
すなわち、第１のＬＥＤ４０及び第２のＬＥＤ４１は藻類槽３０の壁に埋め込まれている。
【００５１】
また、第１のＬＥＤ４０及び第２のＬＥＤ４１が発する光の照度及び波長は特に限定されないが、例えば、３８００〜４２００ルクス、好ましくは４０００ルクスの照度を有し、４５０〜６５０ｎｍの波長を有する光を発した場合、藻類が最も生長するので好ましい。
また、第１のＬＥＤ及び第２のＬＥＤは発光体の一例である。
【００５２】
また、本発明の藻類育成装置１０は、藻類槽３０に収容された育成水２５中の二酸化炭素の濃度を検知可能な二酸化炭素濃度センサ４２と、藻類槽３０に収容された育成水２５中の酸素の濃度を検知可能な酸素濃度センサ４３とを備える。
【００５３】
ここで、二酸化炭素濃度センサ４２及び酸素濃度センサ４３は、藻類槽３０の壁に取付けられており、かつ、一部が藻類槽３０の内部に突出している。
【００５４】
また、二酸化炭素濃度や酸素濃度は特に限定されないが、二酸化炭素濃度が２．０〜３．５％である場合、藻類が最も生長するので好ましい。
特に二酸化炭素濃度が２．０％である育成水を使用した場合、自然海水を使用した場合に比べて藻類の生長率が約２４倍となる。
【００５５】
また、本発明の藻類育成装置１０は、二酸化炭素濃度センサ４２及び酸素濃度センサ４３と通信可能な制御部４４を備える。
また、制御部４４は、気体溶解部２０に取付けられている。
【００５６】
また、制御部４４は、二酸化炭素濃度センサ４２が検知した二酸化炭素濃度が所定の値より小さい場合、例えば、気体溶解部２０に二酸化炭素供給管２１との連通状態を「開」状態にさせ、さらに二酸化炭素を育成水２５に溶解させる制御が可能である。
また、制御部４４は、酸素濃度センサ４３が検知した酸素濃度が所定の値より小さい場合、例えば、気体溶解部２０に酸素供給管２２との連通状態を「開」状態にさせ、さらに酸素を育成水２５に溶解させる制御が可能である。
【００５７】
また、本発明の藻類育成装置１０は、温度センサや、圧力センサなども備えることができ、さらに制御部４４は、人工知能機能を有することもできる。
【００５８】
また、本発明の藻類育成装置１０は、供給部５０を備える。
ここで、供給部５０は、気体溶解部２０に連通している。
すなわち、育成水供給管２３の一端が、気体溶解部２０に連通して接続されており、育成水供給管２３の一端とは反対側の他端が、供給部５０に連通して接続されている。
【００５９】
また、供給部５０は、藻類槽３０の内側面３０Ａの湾曲方向に沿って、または湾曲方向に対して斜めに交差する方向に沿って育成水２５を放流可能である。
その結果、育成水２５は、図２に示すように渦状の流れとなって藻類槽３０内を流れる。
【００６０】
また、供給部５０は、藻類槽３０に連通している。
すなわち、供給部５０は、供給管５１を有する。
ここで、藻類槽３０の内側面３０Ａには藻類槽３０の内部と外部とを連通する複数の貫通穴が形成されているが、供給管５１は複数の分岐供給管を介して、複数の貫通穴それぞれに連通して接続されている。
【００６１】
すなわち、供給管５１は、第１の分岐供給管５１Ａと、第２の分岐供給管５１Ｂと、第３の分岐供給管５１Ｃを介して、藻類槽３０の複数の貫通穴それぞれに連通して接続されている。
例えば、図２に示すように、藻類槽３０に形成された第１の供給用貫通穴３１に、第１の分岐供給管５１Ａの一端が連通して接続されており、第１の分岐供給管５１Ａの一端とは反対側の他端は供給管５１に連通して接続されている。
【００６２】
また、図示されていないが、藻類槽３０に形成された第２の供給用貫通穴に、第２の分岐供給管５１Ｂの一端が連通して接続されており、第２の分岐供給管５１Ｂの他端は供給管５１に連通して接続されている。
【００６３】
また、図示されていないが、藻類槽３０に形成された第３の供給用貫通穴に、第３の分岐供給管５１Ｃの一端が連通して接続されており、第３の分岐供給管５１Ｃの他端は供給管５１に連通して接続されている。
【００６４】
また、供給部５０は、第１のカバー体５２Ａと、第２のカバー体５２Ｂと、第３のカバー体５２Ｃとを有する。
【００６５】
ここで、第１のカバー体５２Ａは、第１の供給用貫通穴３１の対向する縁部同士を結ぶ線に対して略直交する方向に延びる第１の供給用貫通穴中心軸線上に配置されている。
なお、第１の供給用貫通穴中心軸線は、実体のない想像上の線である。
【００６６】
また、第１のカバー体５２Ａは、藻類槽３０の内側面３０Ａに取付けられている。
また、第１のカバー体５２Ａは、第１の分岐供給管５１Ａと連通する第１の放流空間５４Ａを藻類槽３０の内側面３０Ａとの間に形成している。
【００６７】
また、第１のカバー体５２Ａには、第１の放流空間５４Ａと藻類槽３０の内部とを連通すると共に藻類槽３０が延びる方向と交差する方向に面する開口部である第１の放流口５３Ａが形成されている。
また、第１のカバー体５２Ａの、第１の放流空間５４Ａに向いた面とは反対側の面は湾曲している。
【００６８】
また、図示していないが、第２のカバー体５２Ｂ及び第３のカバー体５２Ｃも第１のカバー体５２Ａと同様に、放流空間を藻類槽３０の内側面３０Ａとの間に形成しており、さらに、放流空間と藻類槽３０の内部とを連通すると共に藻類槽３０が延びる方向と交差する方向に面する放流口が形成されている。
【００６９】
第１の分岐供給管５１Ａと、第２の分岐供給管５１Ｂ、及び第３の分岐供給管５１Ｃそれぞれから放出された育成水２５は、第１のカバー体５２Ａと、第２のカバー体５２Ｂ、及び第３のカバー体５２Ｃそれぞれに当たり、育成水２５の流れる方向が藻類槽３０の内側面３０Ａへと向けられる。
従って、供給部５０は、藻類槽３０の湾曲した内側面３０Ａに沿って育成水２５を流すことができる。
【００７０】
また、図１に示す例では、分岐供給管の数や、それに対応するカバー体の数は３つであるが、これに限定されないことは勿論である。
分岐供給管の数や、それに対応するカバー体の数を増やすことで、さらに強い渦状の流れを発生させることができる。
【００７１】
また、本発明の藻類育成装置１０は、循環ポンプ部６０を備える。
ここで、循環ポンプ部６０は、藻類槽３０と気体溶解部２０とに連通している。
【００７２】
すなわち、吸出管６１の一端が、藻類槽３０に連通して接続されており、吸出管６１の一端とは反対側の他端が、循環ポンプ部６０に連通して接続されている。
ここで、藻類槽３０の一方の端部には、藻類槽３０の内部と外部とを連通する貫通穴である吸出用貫通穴３２が形成されており、吸出管６１の一端は吸出用貫通穴３２に連通して接続されている。
【００７３】
また、送出管６２の一端が、循環ポンプ部６０に連通して接続されており、送出管６２の一端とは反対側の他端が、気体溶解部２０に連通して接続されている。
【００７４】
また、循環ポンプ部６０は、藻類槽３０に収容された、育成水２５と海苔葉体７３を藻類槽３０から吸出可能である。
また、循環ポンプ部６０は、吸出された育成水２５と海苔葉体７３を気体溶解部２０へ送出し、送出したときの力で育成水２５と海苔葉体７３に、気体溶解部２０と供給管５１を通過させて、第１の分岐供給管５１Ａと、第２の分岐供給管５１Ｂ、及び第３の分岐供給管５１Ｃから、育成水２５と海苔葉体７３を藻類槽３０内へ注入可能である。
【００７５】
また、気体溶解部２０は、海苔葉体７３と一緒に気体溶解部２０へ送出されて来た育成水２５に、二酸化炭素と酸素を溶解可能である。
【００７６】
また、本発明の藻類育成装置１０は、海苔葉体供給部７０を備える。
ここで、海苔葉体供給部７０は、供給部５０と連通しており、かつ、供給部５０に海苔葉体７３を供給可能である。
【００７７】
すなわち、海苔葉体供給管７１の一端が海苔葉体供給部７０に連通して接続されており、海苔葉体供給管７１の一端とは反対側の他端が育成水供給管２３に連通して接続されている。
ここで、育成水供給管２３は供給部５０に連通して接続されているので、海苔葉体供給部７０は海苔葉体供給管７１と育成水供給管２３を介して供給部５０と連通している。
【００７８】
また、藻類槽３０は、藻類槽３０の延びる方向が水平方向と交差する状態で配置されている。
また、育成水２５と海苔葉体７３が藻類槽３０から吸出される吸出箇所である吸出用貫通穴３２が形成された藻類槽３０の一方の端部の位置は、この一方の端部とは反対側の他方の端部の位置よりも鉛直方向において下方に存在する。
すなわち、藻類槽３０は、高さが異なる一組の藻類槽支持部３５によって両端部が支持され、傾斜して配置されている。
【００７９】
また、第１のカバー体５２Ａの第１の放流口５３が面する方向は、藻類槽３０が延びる方向に対して斜めに交差する方向であり、かつ、吸出用貫通穴３２が形成された藻類槽３０の一方の端部寄りの方向である。
【００８０】
また、第２のカバー体５２Ｂの第２の放流口が面する方向、並びに第３のカバー体５２Ｃの第３の放流口が面する方向も、第１のカバー体５２Ａの第１の放流口５３が面する方向と同様の方向である。
【００８１】
また、吸出用貫通穴３２が形成された藻類槽３０の端部と同じ端部であり、かつ、藻類槽３０が延びる方向に対して略直交する面には、藻類槽３０の内部と外部とを連通する貫通穴である排出用貫通穴３３が形成されている。
【００８２】
また、排出用貫通穴３３に、排出管３６の一端が連通して接続されている。
また、排出管３６の一端とは反対側の他端は、約１５ｃｍの長さにまで生長した海苔葉体７３を育成水２５と共に貯留するための海苔貯留槽８０に連通して接続されている。
【００８３】
また、吸出用貫通穴３２が形成された藻類槽３０の端部と同じ端部に排出管３６が連通して接続されているので、藻類槽３０の勾配を利用して育成水２５や海苔葉体７３を排出することができる。
【００８４】
また、藻類槽３０の内部と外部とを連通する貫通穴である空気抜用貫通穴３４が、吸出用貫通穴３２や排出用貫通穴３３が形成された藻類槽３０の一方の端部とは反対側の他方の端部に形成されている。
空気抜用貫通穴３４は、藻類槽３０から、排出管３６によって育成水２５と海苔葉体７３を排出するときに藻類槽３０内の空気を抜くための貫通穴である。
【００８５】
また、本発明の藻類育成装置１０は、液肥注入部９０を備える。
ここで、液肥注入部９０は、供給部５０と連通しており、かつ、供給部５０に液肥を注入可能である。
【００８６】
すなわち、液肥供給管９１の一端が液肥注入部９０に連通して接続されており、液肥供給管９１の一端とは反対側の他端が育成水供給管２３に連通して接続されている。
ここで、育成水供給管２３は供給部５０に連通して接続されているので、液肥注入部９０は液肥供給管９１と育成水供給管２３を介して供給部５０と連通している。
【００８７】
また、本発明の藻類育成装置１０は、海水注入部１００を備える。
ここで、海水注入部１００は、気体溶解部２０と連通している。
すなわち、海水供給管１０３の一端が海水注入部１００に連通して接続されており、海水供給管１０３の一端とは反対側の他端が、気体溶解部２０に連通して接続された送出管６２に、連通して接続されている。
【００８８】
このように、海水注入部１００は、送出管６２を介して気体溶解部２０と連通しているが、送出管６２を介さずに直接、気体溶解部２０と連通することができることは勿論である。
【００８９】
また、海水注入部１００には、海水吸引管１０１の一端が連通して接続されており、海水吸引管１０１の一端とは反対側の他端は、海洋深層水を貯留している海水貯留槽１０５と連通している。
【００９０】
従って、海水注入部１００は、気体溶解部２０に海洋深層水を注入可能である。
【００９１】
また、本発明の藻類育成装置１０は、殺菌処理部１０６を備える。
ここで、殺菌処理部１０６は、海水吸引管１０１に連通して接続されており、海水吸引管１０１を流れる海洋深層水を殺菌処理可能である。
また、殺菌処理部１０６は、具体的には例えばオゾンまたは紫外線を利用して、海洋深層水を殺菌処理する。
【００９２】
また、海水注入部は液体注入部の一例である。
また、液体として必ずしも海洋深層水を使用しなくてもよく、例えば地下水を使用することもできる。
【００９３】
また、本発明の藻類育成装置１０は、育成水供給管２３に取付けられた育成水供給用制御バルブ２４を備える。
また、本発明の藻類育成装置１０は、排出管３６に取付けられた排出用制御バルブ３７を備える。
また、本発明の藻類育成装置１０は、空気抜用貫通穴３４に取付けられた空気抜用制御バルブ３８を備える。
【００９４】
また、本発明の藻類育成装置１０は、送出管６２に取付けられた送出用制御バルブ６３を備える。
また、本発明の藻類育成装置１０は、海苔葉体供給管７１に取付けられた海苔葉体供給用制御バルブ７２を備える。
【００９５】
また、本発明の藻類育成装置１０は、液肥供給管９１に取付けられた液肥供給用制御バルブ９２を備える。
【００９６】
また、本発明の藻類育成装置１０は、海水吸引管１０１に取付けられた海水吸引用制御バルブ１０２を備える。
また、本発明の藻類育成装置１０は、海水供給管１０３に取付けられた海水供給用制御バルブ１０４を備える。
【００９７】
これら制御バルブは、スマートフォン１０７が発信する制御信号に基づいて制御されることが可能である。
【００９８】
すなわち、スマートフォン１０７が発信する制御信号に基づいて育成水供給用制御バルブ２４を制御し、気体溶解部２０から藻類槽３０へと流れる、育成水２５及び育成水２５に入れられた海苔葉体７３の流量を制御できる。
また、スマートフォン１０７が発信する制御信号に基づいて排出用制御バルブ３７を制御し、藻類槽３０から排出される、育成水２５及び育成水２５に入れられた海苔葉体７３の流量を制御できる。
【００９９】
また、スマートフォン１０７が発信する制御信号に基づいて空気抜用制御バルブ３８を制御し、空気抜用貫通穴３４の開閉を制御できる。
また、スマートフォン１０７が発信する制御信号に基づいて送出用制御バルブ６３を制御し、藻類槽３０から吸出されて気体溶解部２０へ送出される、育成水２５及び育成水２５に入れられた海苔葉体７３の流量を制御できる。
【０１００】
また、スマートフォン１０７が発信する制御信号に基づいて海苔葉体供給用制御バルブ７２を制御し、供給部５０への海苔葉体７３の供給量を制御できる。
また、スマートフォン１０７が発信する制御信号に基づいて液肥供給用制御バルブ９２を制御し、供給部５０への液肥の供給量を制御できる。
【０１０１】
また、スマートフォン１０７が発信する制御信号に基づいて海水吸引用制御バルブ１０２及び海水供給用制御バルブ１０４を制御し、気体溶解部２０への海洋深層水の供給量を制御できる。
【０１０２】
また、スマートフォン以外にもタブレット端末など他の携帯端末が発信する制御信号に基づいて、これら制御バルブを制御できるようにすることもできる。
【０１０３】
また、本発明の藻類育成装置１０は、温度調整された室内に配置されており、図示していないが複数の藻類槽３０が並列に配置されている。
【０１０４】
本発明の藻類育成装置において、供給部は必ずしもカバー体を有していなくてもよい。
しかし、カバー体があれば、カバー体が無く供給管を藻類槽の内側面から突出させた構成よりも、藻類が供給部に引っ掛かり難いので好ましい。
【０１０５】
また、本発明の藻類育成装置において、複数のＬＥＤすなわち発光体は必ずしも藻類槽が延びる方向と同じ方向に、互いに所定の間隔を設けて直列的に配列されていなくてもよく、例えば藻類槽が延びる方向に対して略直交する方向に配列されることもできる。
【０１０６】
しかし、複数の発光体が、藻類槽が延びる方向と同じ方向に、互いに所定の間隔を設けて直列的に配列されており、発光体の直列的な配列は複数あり、かつ、藻類槽が延びる方向に対して略直交していると共に対向する２つの配列を結ぶ線上の発光体の数は１つである構成であれば、１つ当たりの発光体の大きさと、発光体の数を抑えつつ、発光能力を維持することができるので好ましい。
【０１０７】
また、本発明の藻類育成装置において、藻類槽は必ずしも傾斜して配置されていなくてもよく、また、各カバー体の放流口すなわち開口部が面する方向は、必ずしも藻類槽が延びる方向に対して斜めに交差して吸出箇所が形成された藻類槽の一方の端部寄りの方向でなくてもよい。
【０１０８】
しかし、藻類槽が傾斜して配置されており、かつ、各カバー体の開口部が面する方向が、藻類槽が延びる方向に対して斜めに交差して吸出箇所が形成された藻類槽の一方の端部寄りの方向であれば、重力と育成水すなわち溶解液の流れる力とによって吸出箇所の方へ海苔葉体すなわち藻類が集まり易く、藻類槽の延びる長さを比較的長くしても溶解液と藻類を循環できるので好ましい。
【０１０９】
また、本発明の藻類育成装置は必ずしも液肥注入部を備えていなくてもよい。
また、本発明の藻類育成装置は、必ずしもスマートフォンすなわち携帯端末が発信する信号に基づいて制御可能な制御バルブを備えていなくてもよい。
【０１１０】
しかし、液肥注入部があれば、藻類の生長を促進できるので好ましいし、また、制御バルブがあれば、携帯端末の操作一つで、連通する管を通る溶解液の流量を制御したり、藻類槽からの溶解液の排出量を制御したりすることができるので好ましい。
【０１１１】
次に、本発明の藻類育成装置を使用した、本発明の藻類育成方法を説明する。
すなわち、本発明の藻類育成方法は、液体例えば海洋深層水に二酸化炭素を溶解可能な気体溶解部２０において、海洋深層水に海洋深層水の圧力よりも高い圧力を有する二酸化炭素を溶解して溶解液である育成水２５を生成する、溶解液生成工程である育成水生成工程を備える。
【０１１２】
また、本発明の藻類育成方法は、湾曲した内側面３０Ａを有する藻類槽３０に育成水２５を供給して藻類槽３０の内側面３０Ａに沿って育成水２５を流す放流工程を備える。
【０１１３】
また、本発明の藻類育成方法は、藻類槽３０に海苔葉体７３を供給する海苔葉体供給工程を備える。
また、本発明の藻類育成方法は、育成水２５と育成水２５に入れられた海苔葉体７３を収容した藻類槽３０の内部へ向けて発光する発光工程を備える。
【０１１４】
また、本発明の藻類育成方法は、藻類槽３０から育成水２５と海苔葉体７３を吸出して、気体溶解部２０へ育成水２５と海苔葉体７３を導入する循環工程を備える。
【０１１５】
また、本発明の藻類育成方法は、藻類槽３０から海苔葉体７３を排出する排出工程を備える。
また、本発明の藻類育成方法は、排出された海苔葉体を切断する切断工程を備える。
また、海苔葉体供給工程は、排出工程で排出された海苔葉体７３の長さよりも短い長さを有する海苔葉体７３を供給する。
【０１１６】
本発明の藻類育成方法は、必ずしも切断工程を備えていなくてもよいが、切断工程があれば、生長した海苔葉体の一部を再利用することができ、半永久的に海苔葉体を育成することができるので好ましい。
【０１１７】
さらに具体的に、本発明の藻類育成装置を使用した藻類育成の手順を説明する。
なお、図１において、細い矢印は液体と固体の流れを示し、太い矢印は気体の流れを示す。
【０１１８】
海苔葉体供給部７０が約１ｃｍの長さを有する海苔葉体７３を、供給部５０を介して藻類槽３０に供給し、海苔葉体供給工程を実施する。
このとき、海苔葉体供給用制御バルブ７２によって、藻類槽３０に供給される海苔葉体７３の量を調整する。
【０１１９】
また、海水注入部１００が、海水貯留槽１０５に貯留された海洋深層水を吸引し、気体溶解部２０に海洋深層水を注入する。
このとき、殺菌処理部１０６が海水吸引管１０１を流れる海洋深層水を殺菌処理する。
【０１２０】
そして、気体溶解部２０において、注入された海洋深層水に海洋深層水の圧力よりも高い圧力を有する二酸化炭素を溶解して溶解液である育成水２５を生成し、育成水生成工程を実施する。
このとき、気体溶解部２０において、注入された海洋深層水に海洋深層水の圧力よりも高い圧力を有する酸素も溶解する。
【０１２１】
また、気体溶解部２０において生成された育成水２５を、育成水供給管２３を通して供給部５０へ送り、供給部５０の第１の分岐供給管５１Ａと、第２の分岐供給管５１Ｂと、第３の分岐供給管５１Ｃを通して、藻類槽３０に育成水２５を供給する。
【０１２２】
そして、すでに海苔葉体７３が藻類槽３０に供給されているので、藻類槽３０の内部が育成水２５で満たされると、育成水２５の中を海苔葉体７３が漂うことになり、循環ポンプ部６０は育成水２５と海苔葉体７３を一緒に吸出す。
【０１２３】
また、循環ポンプ部６０は、吸出した育成水２５と海苔葉体７３を、気体溶解部２０へ導入する。
このとき、吸出された育成水２５と海苔葉体７３は吸出管６１を通り、さらに送出管６２を通って気体溶解部２０へと送られる。
【０１２４】
また、循環ポンプ部６０は、気体溶解部２０へ育成水２５と海苔葉体７３を導入し、さらに、気体溶解部２０を通過させて供給部５０へと育成水２５と海苔葉体７３を導入し、その勢いで供給部５０の、第１の分岐供給管５１Ａと、第２の分岐供給管５１Ｂと、第３の分岐供給管５１Ｃから藻類槽３０へ、育成水２５と海苔葉体７３を注入する。
このとき、供給部５０は、藻類槽３０の内側面３０Ａの湾曲方向に対して斜めに交差する方向に沿って育成水２５と海苔葉体７３を放流する。
すなわち、循環工程と放流工程を実施する。
【０１２５】
また、気体溶解部２０は、海苔葉体７３と一緒に気体溶解部２０へ導入された育成水２５に、二酸化炭素と酸素を溶解する。
【０１２６】
また、複数の第１のＬＥＤ４０及び複数の第２のＬＥＤ４１を発光させ、育成水２５と育成水２５に入れられた海苔葉体７３を収容した藻類槽３０の内部へ向けて発光し、発光工程を実施する。
【０１２７】
そして、海苔葉体７３の長さが約１５ｃｍになったときに、排出用制御バルブ３７を開き、藻類槽３０から排出管３６を通して育成水２５と共に海苔葉体７３を排出し、排出工程を実施する。
ここで、例えば海苔葉体７３を藻類槽３０の外部から撮像しておき、撮像して得られた画像を解析することによって海苔葉体７３の長さを測定することができる。
【０１２８】
また、排出された海苔葉体７３を約１ｃｍの長さにまで切断し、切断工程を実施する。
【０１２９】
また、本発明の藻類育成装置１０を使用して、本発明の藻類育成方法を実施したところ、約１ｃｍの長さの海苔葉体を藻類槽に供給してから約２４時間後に、海苔葉体を約１５ｃｍまで生長させることができた。
【０１３０】
以上のように、本発明の藻類育成装置は、気体溶解部と、ＬＥＤすなわち発光体と、循環ポンプ部とを備えているので、藻類槽内において光合成を促進できる。
【０１３１】
また、本発明の藻類育成装置は、藻類槽と、供給部とを備えているので、藻類槽内において育成水すなわち溶解液の渦状の流れを発生させることができ、発光体からの光を海苔葉体すなわち藻類に満遍なく当てることができる。
また、渦状の流れによって、光合成で発生した酸素気泡を藻類から分離し易くなり、藻類が二酸化炭素を吸収し易くなる。
【０１３２】
また、本発明の藻類育成装置は、循環ポンプ部を備えているので、藻類が溶解液と共に気体溶解部に通されるため、気体溶解部において藻類に充分に二酸化炭素を供給することができる。
【０１３３】
よって、本発明の藻類育成装置は、藻類の育成効率を向上させることができる。
【０１３４】
また、本発明の藻類育成装置も、本発明の藻類育成装置を使用して藻類を育成するので、藻類の育成効率を向上させることができる。
特に、海苔葉体を使用するので、海苔の胞子や糸状体を供給して育成する方法よりも早く育成を完了させることができる。
【符号の説明】
【０１３５】
１０    藻類育成装置
２０    気体溶解部
２１    二酸化炭素供給管
２２    酸素供給管
２３    育成水供給管
２４    育成水供給用制御バルブ
２５    育成水
３０    藻類槽
３０Ａ  内側面
３１    第１の供給用貫通穴
３２    吸出用貫通穴
３３    排出用貫通穴
３４    空気抜用貫通穴
３５    藻類槽支持部
３６    排出管
３７    排出用制御バルブ
３８    空気抜用制御バルブ
４０    第１のＬＥＤ
４１    第２のＬＥＤ
４２    二酸化炭素濃度センサ
４３    酸素濃度センサ
４４    制御部
５０    供給部
５１    供給管
５１Ａ  第１の分岐供給管
５１Ｂ  第２の分岐供給管
５１Ｃ  第３の分岐供給管
５２Ａ  第１のカバー体
５２Ｂ  第２のカバー体
５２Ｃ  第３のカバー体
５３Ａ  第１の放流口
５４Ａ  第１の放流空間
６０    循環ポンプ部
６１    吸出管
６２    送出管
６３    送出用制御バルブ
７０    海苔葉体供給部
７１    海苔葉体供給管
７２    海苔葉体供給用制御バルブ
７３    海苔葉体
８０    海苔貯留槽
９０    液肥注入部
９１    液肥供給管
９２    液肥供給用制御バルブ
１００    海水注入部
１０１    海水吸引管
１０２    海水吸引用制御バルブ
１０３    海水供給管
１０４    海水供給用制御バルブ
１０５    海水貯留槽
１０６    殺菌処理部
１０７    スマートフォン
【図１】
2020174607.tif 000003
【図２】
2020174607.tif 000004
【図３】
2020174607.tif 000005
【図４】
2020174607.tif 000006
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
液体に二酸化炭素を溶解して溶解液を生成可能な気体溶解部と、
前記溶解液及び同溶解液に入れられた藻類を収容可能であり、かつ、収容された同溶解液及び同藻類に接触する内側面が湾曲した藻類槽と、
前記溶解液及び前記藻類が収容される前記藻類槽の内部へ向けて発光可能な発光体と、
前記気体溶解部と前記藻類槽とに連通しており、かつ、同藻類槽の前記内側面の湾曲方向に沿って、または同湾曲方向に対して斜めに交差する方向に沿って前記溶解液を放流可能な供給部と、
前記藻類槽と前記気体溶解部とに連通しており、かつ、前記藻類槽に収容された、前記溶解液と前記藻類を同藻類槽から吸出可能であると共に、吸出された同溶解液と同藻類を同気体溶解部に通して前記供給部から同藻類槽へ注入可能な循環ポンプ部とを備え、
前記藻類槽は一方向に延びており、かつ、延びた方向の両端が閉塞した円筒形状を有しており、
前記供給部は、前記藻類槽の前記内側面に形成されていると共に同藻類槽の内部と外部とを連通する貫通穴に、連通して接続された供給管と、前記貫通穴の対向する縁部同士を結ぶ線に対して略直交する方向に延びる貫通穴中心軸線上に配置されており、かつ、前記藻類槽の前記内側面に取付けられており、かつ、前記供給管と連通する空間を同内側面との間に形成しており、かつ、同空間と同藻類槽の内部とを連通すると共に同藻類槽が延びる方向と交差する方向に面する開口部が形成されており、かつ、同空間に向いた面とは反対側の面が湾曲したカバー体とを有する
藻類育成装置。
【請求項２】
複数の前記発光体が、前記藻類槽が延びる方向と同じ方向に、互いに所定の間隔を設けて直列的に配列されており、
前記発光体の直列的な配列は複数あり、かつ、前記藻類槽が延びる方向に対して略直交していると共に対向する２つの配列を結ぶ線上の同発光体の数は１つである
請求項１に記載の藻類育成装置。
【請求項３】
前記藻類槽は、同藻類槽の延びる方向が水平方向と交差する状態で配置されており、かつ、前記溶解液と前記藻類が吸出される箇所である吸出箇所が同藻類槽の一方の端部に形成されており、かつ、同吸出箇所が形成された同藻類槽の一方の端部の位置は、同一方の端部とは反対側の他方の端部の位置よりも鉛直方向において下方に在り、
前記カバー体の前記開口部が面する方向が、前記藻類槽が延びる方向に対して斜めに交差する方向であり、かつ、前記藻類槽の一方の端部寄りの方向である
請求項１に記載の藻類育成装置。
【手続補正３】
【補正対象書類名】明細書
【補正対象項目名】０００１
【補正方法】変更
【補正の内容】
【０００１】
本発明は藻類育成装置に関する。詳しくは、例えば海苔を育成するための、藻類育成装置に係るものである。
【手続補正４】
【補正対象書類名】明細書
【補正対象項目名】００１０
【補正方法】変更
【補正の内容】
【００１０】
本発明は、以上の点に鑑みて創案されたものであり、藻類の育成効率を向上させることができる藻類育成装置を提供することを目的とする。
【手続補正５】
【補正対象書類名】明細書
【補正対象項目名】００３４
【補正方法】変更
【補正の内容】
【００３４】
本発明に係る藻類育成装置は、藻類の育成効率を向上させることができる。